(57)【要約】      （修正有）【課題】簡単に取り付け可能なＬＥＤ照明器具を提供する。【解決手段】放熱器１０と、放熱器１０を覆う筐体２０と、放熱器１０の底端に取り付けられる発光ダイオードモジュール３０と放熱器１０の頂端に固定されて筐体２０を通り抜けるランプソケット４０と、ランプソケット４０と筐体２０の間に挟まれる弾性素子５０と、発光ダイオードモジュール３０を囲むランプシェード６０とを備える。組み立てる際に、筐体２０は、弾性素子５０を圧縮するために上向きにランプソケット４０に対して移動し、ランプシェード６０は、放熱器１０に対して所定の角度で傾斜してから移動して底盤を嵌め込み、ランプシェード６０の一側部が放熱器１０の凹溝に嵌め込まれると転動して、筐体２０は緩められた後、弾性素子５０の反発力を受けて下向きにランプシェード６０に当接して、ランプシェード６０の頂端を、筐体２０と放熱器１０の底盤の間に固定する。【選択図】図１
2015216092.tif 000002
【特許請求の範囲】
【請求項１】
放熱器（１０）と、前記放熱器（１０）を覆う筐体（２０）と、前記放熱器（１０）の底端に取り付けられる発光ダイオードモジュール（３０）と、前記放熱器（１０）の頂端に固定されて前記筐体を通り抜けるランプソケット（４０）と、前記ランプソケット（４０）と筐体（２０）の間に挟持される弾性素子（５０）と、前記発光ダイオードモジュール（３０）を囲むランプシェード（６０）とを備える発光ダイオード照明器具（１００）であって、
前記放熱器（１０）は、底盤（１１）と、前記底盤（１１）から上向きに延伸する本体（１２）と、前記本体（１２）の側面から延伸する複数の放熱フィン（１３）とを備え、
前記放熱器（１０）の底端に近い一側部に凹溝（１６）が設けられ、組み立てる際に、前記筐体（２０）は、前記弾性素子（５０）を圧縮するために上向きにランプソケットに対して移動し、前記ランプシェード（６０）は、前記放熱器（１０）に対して所定の角度で傾斜してから移動して前記底盤（１１）を嵌め込み、前記ランプシェード（６０）の一側部が前記放熱器の凹溝（１６）に嵌め込まれると転動して位置を正し、前記筐体（２０）は緩められた後、前記弾性素子（５０）の反発力を受けて下向きに前記ランプシェード（６０）に当接して、前記ランプシェード（６０）の頂端を、前記筐体（２０）と放熱器（１０）の底盤（１１）の間に固定する
ことを特徴とする発光ダイオード照明器具。
【請求項２】
前記ランプシェード（６０）の頂端は、径方向に延伸する係合部（６７）と、前記係合部（６７）の内縁から上向きに軸方向に延伸する嵌込部（６８）とを備え、
前記係合部（６７）と嵌込部（６８）は、いずれも円環状である
ことを特徴とする請求項１に記載の発光ダイオード照明器具。
【請求項３】
前記放熱器（１０）の底盤（１１）は、縦方向の短軸（Ｂ）と横方向の長軸（Ｃ）とを有し、
前記放熱器の凹溝（１６）は、前記底盤の長軸（Ｃ）の一端に対応する位置に設けられ、
前記嵌込部（６８）の内径は、前記底盤の長軸（Ｃ）より小さく前記短軸（Ａ）より大きい
ことを特徴とする請求項２に記載の発光ダイオード照明器具。
【請求項４】
前記放熱器の凹溝（１６）は、水平正面から見るとＶ字状であり、前記底盤との角度が３０〜６０°である下傾斜壁（１６０）と、上傾斜壁（１６０）とを備える
ことを特徴とする請求項１に記載の発光ダイオード照明器具。
【請求項５】
前記凹溝（１６）の下傾斜壁（１６０）と前記底盤（１１）との間の角度は、４５°である
ことを特徴とする請求項４に記載の発光ダイオード照明器具。
【請求項６】
前記下傾斜壁（１６０）と上傾斜壁（１６０）との間の角度は、８０〜１２０°の間である
ことを特徴とする請求項４に記載の発光ダイオード照明器具。
【請求項７】
前記下傾斜壁（１６０）と上傾斜壁（１６０）との間の角度は、９０°である
ことを特徴とする請求項６に記載の発光ダイオード照明器具。
【請求項８】
前記筐体の頂面中部に下向きに内へ凹んで収容部（２１）が設けられ、前記収容部（２１）の底部が前記放熱器（１０）の頂端に当接する
ことを特徴とする請求項１に記載の発光ダイオード照明器具。
【請求項９】
前記ランプソケット（４０）は円柱状であり、前記ランプソケット（４０）の中部に上下貫通する中心穴が設けられ、前記ランプソケット（４０）の頂部からフランジが延伸し、前記弾性素子がランプソケット（４０）を被せて両端がそれぞれ前記収容部の底部と前記ランプソケット（４０）のフランジに当接する
ことを特徴とする請求項８に記載の発光ダイオード照明器具。
【請求項１０】
前記発光ダイオードモジュール（３０）に電気的に接続され、上向きに前記放熱器（１０）とランプソケット（４０）を通り抜ける電線を更に備える
ことを特徴とする請求項１に記載の発光ダイオード照明器具。
【発明の詳細な説明】
【技術分野】
【０００１】
本発明は、照明装置に関し、特にセルフロッキング式反射シェードを有する発光ダイオード照明器具に関する。
【背景技術】
【０００２】
従来技術における照明器具において、ねじ又はリベット接合の方式によって照明器具本体を外部フレーム上に固定する場合が多い。しかし、ねじによって固定するには、ねじ、ねじぶた、ワッシャー等の複数の部材が必要であり、取付けがめんどうであり、数回着脱すると、脱落しやすくなり、危険である。リベット接合の方式では、引っ張りと接合を行うための接合装置と比較的大きな操作空間が必要であり、接合後にまた取り外すことが困難であり、極めて不便である。
【発明の概要】
【発明が解決しようとする課題】
【０００３】
本発明の目的は、は構造が簡単で、速やか且つ簡単に取り付け可能な発光ダイオード照明器具を提供することである。
【課題を解決するための手段】
【０００４】
本発明の発光ダイオード照明器具は、放熱器と、前記放熱器を覆う筐体と、放熱器の底端に取り付けられる発光ダイオードモジュールとを備え、前記放熱器の頂端に固定されて前記筐体を通り抜けるランプソケットと、前記ランプソケットと筐体の間に挟まれる弾性素子と、前記発光ダイオードモジュールを囲むランプシェードとを更に備える。前記放熱器は、底盤と、前記底盤から上向きに延伸する本体と、前記本体の側面から延伸する複数の放熱フィンとを備え、前記放熱器の底端に近い一側部に凹溝が設けられる。組み立てる際に、前記筐体はランプソケットと筐体の間に挟まれる弾性素子を圧縮するために、上向きにランプソケットに対して移動し、前記ランプシェードは放熱器に対して所定の角度で傾斜してから移動して前記底盤を嵌め込み、前記ランプシェードの一側部が前記放熱器の凹溝に嵌め込まれると転動して位置を正し、前記筐体は緩められた後、前記弾性素子の反発力を受けて下向きに前記ランプシェードに当接して、ランプシェードの頂端を筐体と放熱器の底盤の間に固定する。
【０００５】
更に、前記ランプシェードの頂端は径方向に延伸する係合部と、前記係合部の内縁から上向きに軸方向に延伸する嵌込部とを備え、前記係合部と嵌込部がいずれも円環状として設けられる。
【０００６】
更に、前記放熱器の底盤は縦方向の短軸と横方向の長軸を有し、前記放熱器の凹溝は前記底盤の長軸の一端に対応する位置に設けられ、前記嵌込部の内径は、前記底盤の長軸より小さいが、前記短軸より大きい。
【０００７】
更に、前記放熱器の凹溝は、水平正面から見るとＶ字状をしており、前記底盤との角度が３０〜６０°である下傾斜壁と、上傾斜壁とを備える。
【０００８】
更に、前記凹溝の下傾斜壁と前記底盤とが形成する角度は４５°である。
【０００９】
更に、前記下傾斜壁と上傾斜壁とが形成する角度は８０〜１２０°の間である。
【００１０】
更に、前記下傾斜壁と上傾斜壁とが形成する角度は９０°である。
【００１１】
更に、前記筐体の頂面中部に下向きに内へ凹んで収容部が設けられ、前記収容部の底部が前記放熱器の頂端に当接する。
【００１２】
更に、前記ランプソケットは円柱状として設けられ、前記ランプソケットの中部に上下貫通する中心穴が設けられ、前記ランプソケットの頂部からフランジが延伸し、前記弾性素子がランプソケットを被せて両端がそれぞれ前記収容部の底部と前記ランプソケットのフランジに当接する。
【００１３】
更に、前記発光ダイオードモジュールに電気的に接続され、上向きに前記放熱器とランプソケットを通り抜ける電線を更に備える。
【００１４】
従来技術に比べて、本発明の発光ダイオード照明器具は、前記筐体とランプソケットの間に弾性素子を設けることによって、筐体が前記ランプソケットに対して上下に伸縮移動でき、筐体が下方から取り付けられるランプシェードを放熱器の底盤に弾性的に固定し、ランプシェードを取り付けたり取り外したりすることが簡単で便利になった。
【図面の簡単な説明】
【００１５】
【図１】本発明の好ましい実施例の発光ダイオード照明器具の放熱器と発光ダイオードモジュールが部分的に分解された立体分解図。
【図２】図１の発光ダイオード照明器具の放熱器が分解されていない状態の平面図。
【図３】図１の発光ダイオード照明器具の筐体とランプシェードが部分的に分解された一部組立図。
【図４】図１の発光ダイオード照明器具の筐体が部分的に分解されランプシェードが傾斜して設けられた組立図。
【図５】図４の発光ダイオード照明器具の筐体とランプシェードが半分に分解されて設けられた主要図。
【図６】図４の発光ダイオード照明器具の組立過程の模式図。
【図７】図４の発光ダイオード照明器具の組立過程の模式図。
【図８】図４の発光ダイオード照明器具の組立過程の模式図。
【発明を実施するための形態】
【００１６】
本発明の技術的手段をより明らかにするために、以下、添付図面を参照しながら本発明を更に説明する。以下の説明において、発光ダイオード照明器具の使用状態に鑑み、上下方向とは、鉛直方向を意味しそれに直交する方向を水平方向と称する。
【００１７】
図１〜図８は、本発明の好ましい実施例の発光ダイオード照明器具１００を示している。前記発光ダイオード照明器具１００は、放熱器１０と、前記放熱器１０を覆う筐体２０と、放熱器１０の底端に取り付けられる発光ダイオードモジュール３０と、前記放熱器１０の頂端に固定されて前記筐体２０を通り抜けるランプソケット４０と、前記ランプソケット４０と筐体２０の間に挟まれる弾性素子５０と、前記発光ダイオードモジュール２０を囲むランプシェード６０とを備えている。前記弾性素子５０は、前記ランプシェード６０を放熱器１０の底端に固定するように、前記筐体２０を弾性的に押し付ける。本実施例において、前記発光ダイオード照明器具１００は吊り下げランプである。
【００１８】
前記放熱器１０は、底盤１１と、前記底盤１１から上向きに延伸する本体１２と、前記本体１２の側面から延伸する複数の放熱フィン１３とを備える。前記底盤１１は非円形であり、本実施例においては楕円形である。前記底盤１１は縦方向の短軸Ｂと横方向の長軸Ｃを有しており、前記短軸Ｂの長さが前記長軸Ｃの長さより小さく、本実施例において、前記短軸Ｂと長軸Ｃの比率が０．６〜０．９である。前記本体１２の中部には上下に貫通する実装穴１２０が設けられ、前記本体１２の頂部側壁には横方向に前記実装穴１２０と連通する固定穴１２５が設けられ、前記固定穴１２５には実装穴１２０に挿入されるランプソケット４０を固定するために固定具１２８が取り付けられており、前記ランプソケット４０は自体の外壁にねじ山を、実装穴１２０の内壁にねじ山を設けることよって、ランプソケット４０を実装穴１２０に固定できる。
【００１９】
前記本体１２は、前後に縦方向に設けられる延伸板１２９を備えており、前記放熱フィン１３は、前記延伸板１２９の相対的なニ側面から垂直に横方向に延伸しており、本実施例において、各放熱フィン１３は、気流通路を形成して放熱効果を増強するために、上下方向に沿って延伸している。前記放熱器１０の底端に近い一側部に凹溝１６が設けられている。前記凹溝１６の位置は前記底盤１１の長軸の一端に対応している。前記凹溝１６は水平正面から観察すれば、Ｖ字状となっており、下傾斜壁１６０と上傾斜壁１６１を備えている。前記凹溝１６の下傾斜壁１６０と前記底盤１１とが形成する角度は、３０〜６０°であり、本実施例においては、前記凹溝１６の下傾斜壁１６０と前記底盤１１とが形成する角度は４５°である。前記下傾斜壁１６０と上傾斜壁１６１とが形成する角度は８０〜１２０°であり、本実施例においては、前記下傾斜壁１６０と上傾斜壁１６１とが形成する角度は９０°である。
【００２０】
前記筐体２０は逆カップ状をしている。前記筐体２０の頂面中部に下向きに内へ凹んで収容部２１が設けられている。前記収容部２１の底部が前記放熱器１０の頂端に当接しており、前記収容部２１の中部には前記放熱器１０の実装穴１２０に合わせるために穿孔が設けられている。前記弾性素子５０は前記収容部２１の中に收容されている。前記筐体２０の底端に開口２２が設けられている。本実施例において、前記開口２２は円形である。
【００２１】
前記ランプソケット４０は円柱状であり、前記ランプソケット４０の中部に軸方向に上下貫通する中心穴４１が設けられている。前記ランプソケット４０の頂部は、下向きに前記弾性素子５０の頂端を阻止するためにフランジ４２を備えている。
【００２２】
本実施例において、前記弾性素子５０はスプリングである。
【００２３】
前記発光ダイオードモジュール３０は、回路基板と、回路基板３１の下方に電気的に接続される複数の発光ダイオード（図示せず）とを備えている。前記発光ダイオードモジュール３０は、前記放熱器１０の底盤１１の底面に固定されている。前記発光ダイオード照明器具１００は、発光ダイオードモジュール３０に電気的に接続されて放熱器１０の実装穴１２０、ランプソケット４０の中心穴４１を上向きに通り抜ける電線７０を更に備えている。前記発光ダイオード照明器具１００は、放熱器１０の底盤１１に固定されて前記発光ダイオードモジュール３０をカバーして保護する光透過シェード８０を更に備えている。
【００２４】
前記ランプシェード６０はラッパ状であり、頂端６１と底端６２を備えている。前記頂端６２は、径方向に延伸する係合部６７と、前記係合部６７の内縁から上向きに軸方向に延伸する嵌込部６８とを備えている。前記係合部６７と嵌込部６８はいずれも円環状である。前記嵌込部６８の内径Ａは前記底盤１１の長軸Ｃより小さいが、前記短軸Ｂより大きく、即ちＣ＞Ａ＞Ｂである。ランプシェード６０が放熱器１０に対して３０〜６０°の角度で傾斜すると、前記嵌込部６８の内径Ａは前記底盤１１長軸Ｃが前記傾斜角度で投影した幅Ｄより大きくなり、それにより前記ランプシェード６０は傾斜の方式で前記底盤１１を嵌め込むことが可能である。理解できるように、前記ランプシェード６０の傾斜角度は、３０〜６０°に限定されない。ランプシェード６０が傾斜してから底盤１１を嵌め込んで取付けられればよい。
【００２５】
前記発光ダイオード照明器具１００のランプシェード６０を除いた他の部分を組み立てる際に、まず、筐体２０の収容部２１の底部が前記放熱器１０の頂端に当接するように、前記筐体２０を上から下へ前記放熱器１０に被せ、その後ランプソケット４０に前記弾性素子５０を被せてからランプソケット４０を前記筐体２０の開口２２を通過させて放熱器１０の実装穴１２０の中に固定し、その中でランプソケット４０を実装穴１２０に固定する方式については、本実施例において外部工具によって前記固定具１２８を締め付けてランプソケット４０を固定したが、別の実施例においてはねじ山でランプソケット４０と放熱器１０とを接続する方式又は他の接続方式であってもよく、最後に、電線７０によって組み立てられた部分を吊り上げた。
【００２６】
前記ランプシェード６０を放熱器１０に取り付ける際に、前記筐体２０は上向きにランプソケット４０に対して移動して、ランプソケット４０のフランジ４２と筐体２０の収容部２１の底部の間に挟まれている弾性素子５０を圧縮し、その後ランプシェード６０は放熱器１０に対して所定の角度即ち本実施例における３０〜６０°中のある角度で傾斜し、ランプシェード６０の嵌込部６８と係合部６７の一側部が前記放熱器１０の凹溝１６中に嵌め込まれるまで、ランプシェード６０は放熱器１０に傾斜して移動し、次に、ランプシェード６０は、ランプシェード６０の係合部６７が完全に放熱器１０の底盤１１の上方に位置するように転動して位置を正し、ランプシェード６０は緩められた後自体重力で前記係合部６７の底面が底盤１１の周縁の頂面に当接し、最後に、前記筐体２０は弾性素子５０の反発力を受けて下向きに前記ランプシェード６０の係合部６７の頂面に当接して、ランプシェード６０を筐体２０と放熱器１０の底盤１１の間に固定した。
【００２７】
本発明の発光ダイオード照明器具１００は、前記筐体２０とランプソケット４０の間に弾性素子５０を設けることによって、筐体２０が前記ランプソケット４０に対して上下に伸縮移動でき、筐体２０が下方から取り付けられるランプシェード６０を放熱器１０の底盤１１に弾性的に固定し、ランプシェード６０を取り付けたり取り外したりすることが簡単で便利になった。
【００２８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するためのものではない。また同一番号でも明細書と特許請求の範囲の部品名は必ずしも同一ではない。これは上記した理由による。実施例の記載においては、「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。
【図１】
2015216092.tif 000003
【図２】
2015216092.tif 000004
【図３】
2015216092.tif 000005
【図４】
2015216092.tif 000006
【図５】
2015216092.tif 000007
【図６】
2015216092.tif 000008
【図７】
2015216092.tif 000009
【図８】
2015216092.tif 000010
【手続補正書】
【提出日】平成26年8月5日(2014.8.5)
【手続補正１】
【補正対象書類名】図面
【補正対象項目名】全図
【補正方法】変更
【補正の内容】
【図１】
2015216092.tif 000011
【図２】
2015216092.tif 000012
【図３】
2015216092.tif 000013
【図４】
2015216092.tif 000014
【図５】
2015216092.tif 000015
【図６】
2015216092.tif 000016
【図７】
2015216092.tif 000017
【図８】
2015216092.tif 000018